(57)【要約】      （修正有）【課題】より安定してミストを放出させることができるミスト発生装置を提供する。【解決手段】本体ハウジングに収容されて、供給された液体からミストを生成するミスト生成部と、ミスト生成部に接続されて生成されたミストが流れるミスト流路と、ミスト流路の下流側に設けられてミストを本体ハウジング外に放出する筒状のミストノズル５０と、を備え、ミストノズルは、その内部にミストの流入口５２側から放出口５３側に向かって内径が絞られる態様で段部５４ａ，５５ａを有して構成される内側絞り部５４，５５を備える。【選択図】図８
2014239743.tif 000002
【特許請求の範囲】
【請求項１】
本体ハウジングに収容され、供給された液体からミストを生成するミスト生成部と、
前記ミスト生成部に接続されて生成されたミストが流れるミスト流路と、
前記ミスト流路の下流側に設けられてミストを前記本体ハウジング外に放出する筒状のミストノズルと、
を備えたミスト発生装置であって、
前記ミストノズルは、その内部にミストの流入口側から放出口側に向かって内径が絞られる態様で段差を有して構成される内側絞り部を少なくとも１つ備えることを特徴とするミスト発生装置。
【請求項２】
前記ミストノズルは、前記内側絞り部の段差の長さを、前記内側絞り部よりも上流側におけるノズル内周面の軸方向の長さよりも短く形成したことを特徴とする請求項１に記載のミスト発生装置。
【請求項３】
前記ミストノズルは、ミストの流入口側から放出口側に向けてミストノズルの外径が絞られる態様で段差を有して構成される外側絞り部を少なくとも１つ備えることを特徴とする請求項１または２に記載のミスト発生装置。
【請求項４】
前記内側絞り部は、前記段差部分における径方向外側角部と径方向内側角部とを有し、
前記径方向内側角部がＲ形状またはＣ面形状に形成されることを特徴とする請求項１〜３のいずれか一項に記載のミスト発生装置。
【請求項５】
前記ミストノズルは、前記内側絞り部よりもミストの流入口側における角部がＲ形状又Ｃ面形状に形成されることを特徴とする請求項１〜４のいずれか一項に記載のミスト発生装置。
【発明の詳細な説明】
【技術分野】
【０００１】
本発明は、液体からミストを生成して放出するミスト発生装置に関するものである。
【背景技術】
【０００２】
従来、この種のミスト発生装置においては、供給された液体からミストを生成し、生成したミストを使用者の肌に向けて放出することで、肌に潤いを与えることにより、美容や肌ケアを行うようにしている。
【０００３】
ミスト発生装置においては、本体ハウジング内に収容されたミスト生成部に液体を供給し、ミスト生成部において供給された液体からミストを生成し、生成されたミストはミスト生成部に接続されたミスト流路を介して本体ハウジング上面に配置されたミストノズルから、ミストを外部に放出している。
【０００４】
そして、ミスト流路の内径よりミストノズルの内径を小さく形成することで、ミストノズル内を流れるミストの流速を速めて放出することで、より離れた位置までミストを到達させることができる（例えば、特許文献１参照）。
【０００５】
また、ミストノズルの内面を凹凸状や多孔質材料で形成することで、内面を保水部として、ミストが内面に結露した際に、結露した液体を保水部で保水することにより、結露した液体がミストの放出を妨げることなく、ミストの放出を安定に実施できる技術も提案されている（例えば、特許文献２参照）。
【先行技術文献】
【特許文献】
【０００６】
【特許文献１】特開２０１２−１３０５５３号公報
【特許文献２】特開平１１−４８６９号公報
【発明の概要】
【発明が解決しようとする課題】
【０００７】
ところで、上記のようなミスト発生装置では、ミストの出口であるミストノズルの内径をミスト流路の内径より小さくすることで、ミストの流速を高めることができるようになっている。しかしながら、ミストノズル内で発生する結露にて液滴が発生し、この液滴がミスト流路の一部又は全部を塞いで、ノズル流路の流路断面積を変化させてしまう事象が生じる。すると、ミストの放出量の低下や放出速度の変化、放出方向が変化する等、ミストの放出が不安定となってしまう。
【０００８】
そこで、特許文献２のミスト発生装置のように、ミストノズルの内面に多孔質材料を用いることで、ミストノズルの内径を小さくしてミストの流速を高めつつ、ミストノズル内で液滴を吸液することが可能となる。その結果、液滴によるノズル流路の閉塞が極力防止され、ミスト放出の安定化が可能となっている。
【０００９】
しかしながら、ミストノズル内の多孔質材料で吸液した液体にて飽和状態になってしまうと、吸液機能が低下するため、ミストノズル内の多孔質材料で吸液しきれない液滴がミストノズル内に残存するようになる。すると、上記と同様に、ミスト流路が液滴にて塞がれてミストの放出が不安定となるというように、依然として改良の余地を残していた。
【００１０】
本発明は、上記課題を解決するためになされたものであって、その目的は、より安定してミストを放出させることができるミスト発生装置を提供することにある。
【課題を解決するための手段】
【００１１】
前記従来の課題を解決するために、本発明のミスト発生装置は、本体ハウジングに収容され、供給された液体からミストを生成するミスト生成部と、前記ミスト生成部に接続されて生成されたミストが流れるミスト流路と、前記ミスト流路の下流側に設けられてミストを前記本体ハウジング外に放出する筒状のミストノズルと、を備えたミスト発生装置であって、前記ミストノズルは、その内部にミストの流入口側から放出口側に向かって内径が絞られる態様で段差を有して構成される内側絞り部を少なくとも１つ備えることとしたものである。
【００１２】
これによって、ミストノズル内で結露した液体をミストノズルの下流側（ミストの放出口側）に流入することを抑えて、より安定してミストを放出させることが可能となる。
【発明の効果】
【００１３】
本発明のミスト発生装置によれば、より安定してミストを放出させることができる。
【図面の簡単な説明】
【００１４】
【図１】実施の形態におけるミスト発生装置の前側から見た斜視図。
【図２】同上におけるミスト発生装置の背面側から見た斜視図。
【図３】同上におけるミスト発生装置の給液タンクを装着した状態を示す側断面図。
【図４】同上におけるミスト発生装置の給液タンクを取り外した状態を示す側断面図。
【図５】同上におけるミスト発生装置のミストの生成及び放出態様を説明するためのミスト発生装置の背断面図。
【図６】同上におけるミスト発生装置のミストノズルの構成を説明するための要部拡大断面図。
【図７】同上におけるミスト発生装置のミストノズルの斜視図。
【図８】同上におけるミスト発生装置のミストノズルの断面図。
【図９】結露した液体の成長と高さの変化を示す模式図。
【図１０】別の形態におけるミストノズルの斜視図
【図１１】同上におけるミストノズルの断面図。
【図１２】別の形態におけるミストノズルの断面図。
【発明を実施するための形態】
【００１５】
第１の発明は、本体ハウジングに収容されて、供給された液体からミストを生成するミスト生成部と、前記ミスト生成部に接続されて生成されたミストが流れるミスト流路と、前記ミスト流路の下流側に設けられてミストを前記本体ハウジング外に放出する筒状のミストノズルと、を備えたミスト発生装置であって、前記ミストノズルは、その内部にミストの流入口側から放出口側に向かって内径が絞られる態様で段差を有して構成される内側絞り部を少なくとも１つ備えることとしたものである。
【００１６】
これによって、ミストノズルの内部に付着した液滴が段差を有する内側絞り部に表面張力で保持されることで、それ以降の放出口側に流れ込みにくくなる。また、ミストノズルの放出口側を流入口側よりも上向きとすることで、内側絞り部に溜まっていた液滴が重力によって流入口側に流れ落ちやすくなる。
【００１７】
そのため、飽和過多を抑えられ、結露した場合でも、ミストの放出口側に液滴が付着することが抑えられる。このため、ミストの放出をより安定させることができる。
第２の発明は、特に、第１の発明のミスト発生装置において、前記ミストノズルは、前記内側絞り部の段差の長さを、前記内側絞り部よりも上流側におけるノズル内周面の軸方向の長さよりも短く形成したものである。
【００１８】
これによって、表面張力で内側絞り部の段部で保持された液滴の成長する方向が軸方向よりも径方向になり、ある量の結露が溜まっても軸方向に広がることができ、放出口側段差を乗り越える前に重力で流入口側に流れ落ちる。
【００１９】
そのため、飽和過多を抑えられ、結露した場合でも、ミストの放出口側に液滴が付着することが抑えられ、ミストの放出をより安定させることができる。
第３の発明は、特に第１または第２の発明のミスト発生装置において、前記ミストノズルは、ミストの流入口側から放出口側に向けてミストノズルの外径が絞られる態様で段差を有して構成される外側絞り部を少なくとも１つ備えることとしたものである。
【００２０】
これによって、ミストノズルの外部で結露した液滴が滴下する程度に大きく成長してから落ちることとなる。このため、例えば液滴が小さいままミスト流入口からミストノズル内部に流入することが抑えられるため、ミストの流れに乗ってミストノズル内部のミスト放出口側に流れ込むことが抑えられる。そのため、ミストの放出をより安定させることができる。
【００２１】
第４の発明は、特に第１〜第３の発明のミスト発生装置において、前記内側絞り部は、前記段差部分における径方向内側角部がＲ形状またはＣ面形状に形成されることとしたものである。
【００２２】
これによって、ミストノズルの内周面における内側絞り部によって絞った部分における径方向内側角部には表面張力が起こりにくくなり、表面張力で角部に保持された液滴が成長してもミスト流入口側に流れやすくなる。そのため、ミストの放出をより安定させることができる。
【００２３】
第５の発明は、特に第１〜第４の発明のミスト発生装置において、前記ミストノズルは、前記内側絞り部よりもミストの流入口側における角部がＲ形状又Ｃ面形状に形成されることとしたものである。
【００２４】
これによって、内側絞り部よりもミストの流入口（上流）側の角部に表面張力が起こりにくくなり、表面張力で角部に保持された液滴が成長してもミストの流入口側に流れやすくなる。そのため、ミストの放出をより安定させることができる。
【００２５】
（実施の形態）
以下、本発明を具体化した一実施形態を図面に従って説明する。なお、この実施の形態によって本発明が限定されるものではない。
【００２６】
図１〜図５に示すように、ミスト発生装置としての美容器１は、筐体２が前後方向に長径の楕円形状をした合成樹脂からなる底板３と、その底板３の外周縁に形成した結合片と連結され上方に延出形成された合成樹脂からなるハウジング４にて形成されている。そして、筐体２の底板３とハウジング４とで形成される空間Ｓに、ミストを発生するための各種構成部品が収容されている。
【００２７】
底板３から上方に向かって延出されたハウジング４は、上方にいくほど先細となり、先端部が前方斜め上方に向かって拡開された開口部５が形成され、その開口部５には、ミスト流路カバー６が取着されている。そして、ハウジング４内で生成されたミストがミスト流路カバー６から前方斜め上方に向かって放出される。
【００２８】
また、ハウジング４の正面位置には、電源スイッチＳＷ１が設けられているとともに、ハウジング４の左側後方の側面位置には電源プラグＰＬが設けられている。
また、ハウジング４の背面には、図２及び図４に示すように、収容口１０が形成されている。収容口１０部分の空間Ｓ内には、合成樹脂よりなるタンク収容部材１１が底板３に向かって配置されている。
【００２９】
タンク収容部材１１は、下側が底板３に支持されているとともに上側がハウジング４と連結固定され、収容口１０から臨むようにタンク収容凹部１１ａが形成されている。タンク収容部材１１にて形成されたタンク収容凹部１１ａには、図３及び図４に示すように、給液タンクＴが着脱可能に装着されるようになっている。
【００３０】
タンク収容凹部１１ａであって、装着された給液タンクＴの下方中央位置には、軸受け筒１２が設けられている。軸受け筒１２は、軸受け筒１２の外周面であって前後左右方向に延びる十字状のリブ１３が延出され、そのリブ１３がタンク収容部材１１に連結されていることによって、軸受け筒１２は装着された給液タンクＴの下方中央位置に配される。
【００３１】
タンク収容部材１１の底部１４であって、前記軸受け筒１２と相対向する位置には、導出口１５が貫通形成されているとともに、導出口１５と連通する供給パイプ１６が前方に向かって一体形成されている。
【００３２】
導出口１５には、底板３及び供給パイプ１６を貫通した解除ロッド１７が貫挿されている。解除ロッド１７の先端部は、軸受け筒１２内を軸方向に移動可能に貫挿支持されている。
【００３３】
解除ロッド１７は、底板３が浮いた状態では、即ち美容器１が持ち上げられてテーブル等に置かれていない状態においては（図４参照）、基端が底板３から突出するようになっている。このとき、解除ロッド１７の先端は軸受け筒１２の上部開口端と面一の状態となっている。
【００３４】
また、美容器１がテーブル等に置かれた時（図３参照）、底板３から下方に突出していた解除ロッド１７は押し込まれて上動し、先端が軸受け筒１２の上部開口から上方に突出するようになっている。
【００３５】
タンク収容部材１１の底部１４に形成した導出口１５には、開閉弁１８が設けられている。開閉弁１８は、導出口１５を貫通した解除ロッド１７に固着されている。開閉弁１８と軸受け筒１２との間の解除ロッド１７には、スプリングＳＰ１が縮設されている。解除ロッド１７は、スプリングＳＰ１の弾性力によって、下方への弾性力を受けるようになっている。
【００３６】
従って、美容器１がテーブル等に置かれとき、解除ロッド１７はスプリングＳＰ１の弾性力に抗して上動する。反対に、美容器１が持ち上げられてテーブル等に置かれていない状態では、解除ロッド１７はスプリングＳＰ１の弾性力にて下動し、基端が底板３から突出するようになっている。
【００３７】
そして、美容器１がテーブル等に置かれ、底板３から突出していた解除ロッド１７が押し込まれ上動するときには、図３に示すように、開閉弁１８が上動して導出口１５が開放され、タンク収容凹部１１ａ側（給液タンクＴ側）と供給パイプ１６とが連通する。
【００３８】
反対に、底板３が浮いた状態であって、底板３から解除ロッド１７が下方に突出するときには、図４に示すように、開閉弁１８が下動して導出口１５が閉止され、タンク収容凹部１１ａ側と供給パイプ１６との連通が遮断される。
【００３９】
タンク収容凹部１１ａに装着される給液タンクＴは、下側が開口し、タンク収容凹部１１ａの壁面に嵌合支持される貯留部２１と、貯留部２１の下側開口部を閉塞する閉止部２２を有している。貯留部２１の後部外側面には、ハウジング４の背面に形成された収容口１０をハウジング４の外側面と連続性を持たせるための外壁部２３が形成されている。
【００４０】
貯留部２１の下側開口部を閉塞する閉止部２２には、その中央位置に下方に突出した円筒口２４が形成され、その円筒口２４の外周面には、雄ねじ部が形成されている。円筒口２４には、弁部材２５が螺着されている。
【００４１】
図３、及び図４に示すように、弁部材２５は、円筒部２６を有し、その外周面に形成された雌ねじ部が円筒口２４に形成された雄ねじ部と螺着することによって、同円筒部２６が円筒口２４に連結される。
【００４２】
円筒部２６内には、一部開口（図示せず）した支持壁２７が形成されている。支持壁２７には、操作ロッド２８が軸線方向に移動可能に貫挿されている。操作ロッド２８であって支持壁２７の上側位置には、操作ロッド２８が下方に抜け落ちないためのストッパーＳＴが取着されている。
【００４３】
また、操作ロッド２８の下端には、係止突起２９が形成され、その係止突起２９と支持壁２７との間に、スプリングＳＰ２を縮設させている。従って、操作ロッド２８は、スプリングＳＰ２の弾性力によって、下方への弾性力を受けるようになっている。
【００４４】
そして、図３に示すように、美容器１がテーブル等に置かれ、解除ロッド１７が上動したとき、解除ロッド１７は操作ロッド２８の下面に当接し、スプリングＳＰ２の弾性力に抗して操作ロッド２８を上動させる。ストッパーＳＴより先端の操作ロッド２８には、弁体Ｂが取着されている。
【００４５】
弁体Ｂは、操作ロッド２８が上動しているとき、上動して支持壁２７に形成した一部開口（図示せず）を開口させる。この時、タンク収容部材１１の底部１４の導出口１５に設けた開閉弁１８も開状態となっていることから、給液タンクＴ内の液体は、タンク収容部材１１の底部１４の導出口１５を経て供給パイプ１６に送液される。
【００４６】
なお、給液タンクＴ内に水を入れる場合、給液タンクＴをハウジング４のタンク収容凹部１１ａから引き出す。そして、弁部材２５を、円筒口２４から取り外し、円筒口２４から液体を注入する。液体を注入した後、弁部材２５を締めて、給液タンクＴをハウジング４のタンク収容凹部１１ａに装着することによって給液は完了する。
【００４７】
また、図４に示すように、給液タンクＴが取り外された状態、及び美容器１が持ち上げられてテーブル等に置かれておらず解除ロッド１７が下動している状態では、弁体Ｂは、支持壁２７に形成した一部開口を閉止、給液タンクＴ内の水を導出させない。
【００４８】
供給パイプ１６に送液された給液タンクＴの水は、ミスト発生ユニット３０に供給される。ミスト発生ユニット３０は、合成樹脂よりなるミスト発生本体３１を有し、ミスト発生本体３１の下側に供給パイプ１６と連結される給液パイプ１９が一体形成されている。ミスト発生本体３１は、底板３に支持されて、上方に向かって設置されている。
【００４９】
ミスト発生本体３１は、図５に示すように、右側の面と対向するように凹状をなす開口凹部３２が形成されている。ミスト発生本体３１の左側部分には、上下方向に延びる復液路３３が設けられている。復液路３３の下側は、下側通路４１を介して図３等に示す給液パイプ１９と連通されている。
【００５０】
また、復液路３３の上側は、ミスト誘導筒３６と連結する大径部３４が拡開形成され、大径部３４の傾斜した段差面３５とつながっている。復液路３３は、上方に位置するミスト誘導筒３６や更にその上方のミスト流路パイプ３７等で結露した水が大径部３４で受け止められて、大径部３４の傾斜した段差面３５を伝って導入される。
【００５１】
そして、復液路３３に導入された結露した水は、下側通路４１から沸騰室４０（又は給液パイプ１９）に還流される。
また、ミスト発生本体３１に形成した開口凹部３２は、ヒータＨＴにて閉塞されている。そして、開口凹部３２を閉塞したヒータＨＴとミスト発生本体３１にて形成される上下方向に延びる空間が沸騰室４０となる。
【００５２】
ヒータＨＴは、例えばアルミケース内にＰＴＣヒータが収納されて構成されている。ヒータＨＴの内側面Ｓｆ１（沸騰室４０側の面）はミスト発生本体３１と対向し、沸騰室４０の下部は、ミスト発生本体３１の下部左側に向かって貫通形成した下側通路４１にて、復液路３３と給液パイプ１９（図５では不図示）と連通されている。
【００５３】
これにより、供給パイプ１６に送液された給液タンクＴの液体が給液パイプ１９、下側通路４１を介して沸騰室４０に供給される。沸騰室４０に供給された液はヒータＨＴの加熱により沸騰され、この沸騰室４０において高温のスチームミストが生成されるようになっている。
【００５４】
沸騰室４０の上部は、ミスト発生本体３１の上部左側に向かって貫通形成した上側通路４２にて、復液路３３の上側に拡開形成した大径部３４と連通されている。そして、この上側通路４２は、沸騰室４０で発生したスチームミストを大径部３４に供給するようになっている。
【００５５】
図３〜図６に示すように、大径部３４の上側に連結されたミスト誘導筒３６は、合成樹脂等よりなり、大径部３４、上側通路４２を介して沸騰室４０と連通し、沸騰室４０で発生したスチームミストが導入されようになっている。ミスト誘導筒３６内には、高圧放電装置４５が配設されている。
【００５６】
高圧放電装置４５は、高圧放電により導入されたスチームミストを微細化しイオン化する。微細化されたスチームミストは、上側の合成樹脂等よりなるミスト流路パイプ３７を介してミストノズル５０に案内され、開口部５（ミスト流路カバー６）から前方斜め上方に向かって外部に放出される。
【００５７】
図５に示すように、ミスト発生本体３１のヒータＨＴとは反対側の面には、制御回路基板４７が取着されている。制御回路基板４７には、電源スイッチＳＷ１、電源プラグＰＬ、ヒータＨＴからの配線（図示略）が接続されていて、制御回路基板４７上で電源スイッチＳＷ１、電源プラグＰＬ、ヒータＨＴが直列接続されている。
【００５８】
そして、電源スイッチＳＷ１をオンさせた時、制御回路基板４７は、電源プラグＰＬから供給される電源からヒータＨＴの動作電源を生成してヒータＨＴに供給する。また、制御回路基板４７には、高圧放電装置４５から延びる配線（図示略）が接続されており、放電のための動作電源の生成及び供給を行うようになっている。
【００５９】
図６に示すように、ミストノズル５０は、ミスト流路パイプ３７の先端部に組み付けられる環状の装着部材３８の内側縁に装着されている。ミストノズル５０は、ミスト流路パイプ３７内で圧力が高まったスチームミストを外部に向けて放出する。ミストノズル５０は熱伝導性の高い金属、例えばアルミニウム等にて形成されている。
【００６０】
図６〜図８に示すように、ミストノズル５０は、円筒状の筒状部５１と、その外周面から延出形成されたフランジ部５９とを有している。筒状部５１の内側空間は、スチームミストを通過させ外部に放出するノズル流路Ｘとなっている。
【００６１】
図６に示すようにミストノズル５０を美容器１に設置した際には、筒状部５１の軸線Ａ１方向、即ちノズル流路Ｘの延びる方向でありミストの放出方向であって、そのミスト放出方向が美容器１の設置面と平行な基準面Ｚ０（略水平面）に対して所定角度αだけ上方を向くようになっている。
【００６２】
筒状部５１は、ミスト流入口５２と、ミスト放出口５３と、内側絞り部５４，５５と外側絞り部５６，５７とを備える。筒状部５１は、軸線Ａ１方向一端側のミスト流入口５２と、軸線Ａ１方向他端側のミスト放出口５３とが連通されてノズル流路Ｘが形成されることで、ミストの流入及び放出が可能となっている。
【００６３】
図７及び図８に示すように内側絞り部５４，５５は、筒状部５１の内周面５１ａに２つ形成されている。内側絞り部５４，５５は、ミスト流入口５２側（上流側）からミスト放出口５３側（下流側）に向かって径（内径）が小さくなるように段部５４ａ，５５ａと、内側角部５４ｂ，５５ｂと、外側角部５４ｃ，５５ｃとを備える。
【００６４】
２つの内側絞り部５４，５５の内の一方の内側絞り部５４は、他方の内側絞り部５５よりもミスト流入口側、即ち筒状部５１の一端側に形成される。内側絞り部５４の段部５４ａによって、筒状部５１のミスト流入口５２の内径よりも小さい内径に絞られる。
【００６５】
そして、内側絞り部５５の段部５５ａによって、筒状部５１の内径は、更に小さい内径である最小径部５８まで絞られる。ここで、内側絞り部５５の段部５５ａは、その高さＨ２が内側絞り部５４の段部５４ａの高さＨ１よりも低くなっている。
【００６６】
ここで、内側絞り部５４よりも上流側におけるノズル内周面５１ｂの軸方向長さをＬ１、内側絞り部５５よりも上流側において内側絞り部５４までのノズル内周面５１ｃの軸方向長さＬ２とし、内側絞り部５４，５５における段部５４ａ，５５ａの高さ（径方向長さ）をＨ１，Ｈ２としたとき、Ｌ１＞Ｈ１，Ｌ２＞Ｈ２となるように形成される。
【００６７】
ここで、液滴６０の高さｅを考えた時、図９に示すように、液滴６０の径が大きくなるに従い、やがて液滴６０は重力の働きで平坦になり、液滴６０の高さはｅとなる。液滴６０の高さｅ、接触角θ、液体の表面張力γ、液体の密度ρ、及び重力加速度ｇの間には、次式に示すような関係が成り立つことが知られている。
【数１】
2014239743.tif 000003
【００６８】
そこで、ミストノズル５０の筒状部５１の内周面５１ａと同等粗さの平面の接触角θによる液滴の高さｅを測定し、この高さｅ以上の高さを確保できるように段部５４ａ，５５ａの高さＨ１，Ｈ２を形成することが好ましい。
【００６９】
このような構成とすることで、液滴６０が成長しても、段差を乗り越えるほどの高さまでは成長せず、次段の絞り部、または、最小径部５８に液滴が流入することが抑えられる。なお、本実施の形態においては、段部５４ａ，５５ａの高さＨ１，Ｈ２を液滴の高さｅの２倍以上に設定している。
【００７０】
また、ミストノズル５０の筒状部５１は、その外周面５１ｄに、ミストの流入口５２側から放出口５３側に向けてミストノズル５０（筒状部５１）の外径が絞られる態様で段差を有して構成される外側絞り部５６，５７が設けられる。外側絞り部５６，５７は、前記筒状部５１の軸線Ａ１方向において内側絞り部５４，５５と略同じ位置に、略同等の高さを有する段部を備えて形成される。
【００７１】
また、筒状部５１のミスト放出口５３には、ミスト放出口５３側の外表面から径方向外側に延出するフランジ部５９が形成されている。また、ミスト放出口５３の角部５３ａは、前記フランジ部５９にかけて滑らかなＲ形状をなすように形成されている。
【００７２】
図６に示すように、フランジ部５９は、ノズル流路Ｘの出口側端部にミストノズル５０外周から径方向に延出形成され、装着部材３８の内側縁の装着溝３８ａに圧入保持されるようになっている。このため、ミスト流路パイプ３７内で圧力が高まった場合でも、最小径部５８以外からスチームミストが漏れないようになっている。
【００７３】
次に本実施の形態の美容器１の作用について説明する。
美容器１は、電源スイッチＳＷ１が押下されることで、ヒータＨＴが駆動される。ヒータＨＴが駆動されると沸騰室４０に供給された液（水）が加熱されて沸騰し、この沸騰室４０において高温のスチームミストが生成されるようになっている。生成されたミストは、高圧放電装置４５によって微細化されて、ミストノズル５０に案内され、開口部５から外部に放出されるようになっている。
【００７４】
ここで、ミストノズル５０は熱伝導性の高い金属、例えばアルミニウム等にて形成されているため、流路Ｘにてスチームミストを通過させると、スチームミストから熱エネルギーを受け取り、筒状部５１の温度を短時間でスチームミストと同じ温度まで上昇させることができるため、最小径部５８にて結露が生じ難くなっている。
【００７５】
また、ミストノズル５０の筒状部５１内周面５１ａは、高温高圧のスチームミストが発生しているため、水蒸気の飽和状態となっていて、結露や滴下しやすくなっている。ミストノズル５０の筒状部５１内周面５１ａに付着した液滴６０はスチームミストの流れにより外側角部５４ｃ，５５ｃに溜まりやすい。
【００７６】
液滴６０は角部５４ｃ，５５ｃで徐々に大きく成長していくが、内側絞り部５４，５５の段部５４ａ，５５ａを越えることなく軸線Ａ１方向に広がっていく。ある量の液滴６０が溜まると、液滴６０に作用する重力、即ち液滴６０の自重が表面張力よりも大きくなり、ミストノズル５０（筒状部５１）のミスト流入口５２（上流）側に流れる。
【００７７】
このとき、各段部５４ａ，５５ａの液滴を取り込みながら更に大きな液滴となり、一気にミストノズル５０（筒状部５１）のミスト流入口５２から滴下する。
これを繰り返すため、ミストノズル５０の内部表面には、スチームミストが連続して当たり付着して結露が起こっても、ある一定量を超えることがなく、最小径部５８に液滴６０が流入することが抑えられるようになっている。
【００７８】
また、ミスト流入口５２側はミスト放出口５３側と比較して内径が大きいため、最小径部５８と比較すると、流路の断面積が大きく、スチームミストの流速が放出口５３側と比較して遅いため、付着した液滴６０に働くスチームミストが押す力も小さくなっていて、液滴６０の重力に反する力が働きにくい。
【００７９】
また、ミストノズル５０の外表面に付着した液滴は、外側絞り部５６，５７の段部５６ａ，５７ａに溜まって徐々に大きく成長し、重力の働きにより滴下する程度に大きくなってから次段に移動していくため、液滴が小さい状態のままノズル入口の端部に流れて、ノズル内面のスチームミストの流れに乗って最小径部５８に流れ込むことがなくなる。
【００８０】
また、ミストノズル５０全体が薄肉化されることにより、ノズルの熱容量が小さくなるため、内面の温度上昇がさらに早い時間でなされ、特に最小径部５８の温度上昇速度を速くすることができる。
【００８１】
そのため、美容器１の運転初期において本体の温度が上がっていなくても、スチーム発生直後からミストノズル５０がスチームと同じ温度となり、結露をしにくくさせることができる。ミストの流入口５２をＲ形状にすることにより、そうでない場合に比べ、表面張力を小さく抑えることができるため、液滴が入口側に流れ落ちやすくなる。
【００８２】
また、同様の作用により、放出口５３をＲ形状にすることにより、特に低温環境下で使用されて運転初期にミストノズル５０の最小径部５８内面に小さな結露が発生しやすい状況においても、出口側の流れ下流の端部で表面張力により結露が大きくならないうちに、最小径部５８から、つまり圧が高くスチーム速度の速い領域から出口側に排出させて、最小径部５８の流路断面積の変化を極力抑えることができる。
【００８３】
ミストノズル５０の出口側にフェルト等の吸液材３９を設けることで、排出された液滴が再び最小径部５８に戻ることを防ぐことができる。
また、美容器１の設置時には筒状部５１のミスト流入口５２側が下方を向けられることから（図６参照）、外側角部５４ｃ，５５ｃ等に存在する液滴は重力の働きにより、常にミスト流路パイプ３７側に流れ落ちる方向に力が働いている。
【００８４】
このため、ミスト流路パイプ３７側に流れ落ち易く、筒状部５１での液体が極力低減、即ち極力飽和過多状態とならないようになっている。
また、ミストノズル内面に付着した結露が段差部の角部に表面張力で保持されることにより、それ以降の出口側流路に流れにくく、かつ段差部にある量の結露が溜まると重力の働きで入口側に流れ落ちるため、飽和過多になることが抑えられ、ことなく継続して結露を保持することができる。
【００８５】
次に、本実施形態の効果を記載する。
（１）ミストノズル５０の筒状部５１内周面５１ａで発生した液滴６０が内側絞り部５４，５５の段部５４ａ，５５ａに表面張力で保持されることにより、それ以降の放出口５３側流路に流れ込みにくく、かつ段部５４ａ，５５ａにある量の結露が溜まると重力でミスト流入口５２側に流れ落ちて復液する。
【００８６】
そのため、飽和過多を抑えられ、結露した場合でも、ミストの放出口５３側に液滴が付着することが抑えられる。このため、ミストの放出（放出量、放出速度、放出方向等）をより安定させることができる。使用者の顔へ均一にスチームミストを当てることができ、顔面の均一な温度上昇やミストの付着により美容効果を顔全体により安定的に提供することができる。
【００８７】
（２）ミストノズル５０は、内側絞り部５４，５５の段部の高さＨ１，Ｈ２（長さ）を、内側絞り部５４，５５よりも上流側におけるノズル内周面５１ｂ，５１ｃの軸方向の長さＬ１，Ｌ２よりも短く形成することにより、表面張力で内側角部５４ｂ，５５ｂに保持された液滴の成長する方向が軸線Ａ１方向よりも径方向になり、ある量の液滴が溜まっても軸線Ａ１方向に広がることができる。
【００８８】
そのため、放出口５３側の段部５４ａ，５５ａを乗り越える前に液滴の重力で流入口５２側に流れ落ちるため、飽和過多を抑えられ、結露した場合でも、最小径部５８に液滴が入り込むことが抑えられ、スチームミストの放出をより安定させることができる。
【００８９】
（３）ミストノズルの外周面５１ｄにおいて外側絞り部５６，５７を設けることにより、ミストノズル５０外側に結露した液滴が滴下する程度に大きく成長してから落ちることとなる。
【００９０】
このため、例えば液滴が小さいままミスト流入口５２からミストノズル５０内部に流入することが抑えられるため、スチームミストの流れに乗ってミストノズル５０内部のミスト放出口側に流れ込むことが抑えられる。そのため、スチームミストの放出をより安定させることができる。
【００９１】
（４）内側絞り部５４，５５の段部５４ａ，５５ａにおける内側角部５４ｂ，５５ｂをＲ形状としたことにより、内側角部５４ｂ，５５ｂには表面張力が起こりにくくなる。そのため、表面張力で外側角部５４ｃ，５５ｃに保持された液滴が成長しても流入口５２側の段差である内側角部５４ｂ，５５ｂを越えやすい。
【００９２】
このため、放出口５３側の段部５４ａ，５５ａを乗り越える前に重力で流入口５２側に流れ落ちるため、飽和過多になることなく継続して結露を保持できることにより、最小径部５８に液滴が入り込むこと、また付着することがなくなり、スチームミストの放出をより安定化できる。
【００９３】
（５）内側絞り部５４，５５よりもミストの流入口５２（上流）側の角部５２ａに表面張力が起こりにくくなり、表面張力で外側角部５４ｃ，５５ｃに保持された液滴が成長してもミストの流入口５２側に流れやすくなる。そのため、ミストの放出をより安定させることができる。
【００９４】
（他の形態）
なお、上記実施の形態は、以下のように変更してもよい。
・上記実施形態では、ヒータＨＴによってスチームミストを生成する構成としたが、超音波振動を用いて冷ミストを生成する構成や、その他の構成を採用してもよい。
【００９５】
・上記実施形態では、ミスト発生装置を美容器１に具体化したが、加湿器等の他の装置に適用してもよい。
・上記実施形態では、液体として水を用いたが、アルカリ成分、酸性成分、美容成分、炭酸成分、または芳香成分等を含んでいてもよい。
【００９６】
・上記実施形態では特に言及していないが、筒状部５１の内表面の状態を安定化させる手段として、表面形状を滑らかにするための化学研磨、防錆により表面状態を経時的に安定化させるための酸化被膜生成処理、鍍金処理等を施してもよい。
【００９７】
・上記実施形態では、内側角部５４ｂ，５５ｂのＲ形状としたが、これに限らない。例えば、図１２に示すようにＣ面形状や、図１０及び１１に示すように所謂ピン角であってもよい。また、ミスト流入口５２についても同様に、Ｃ面形状やピン角としてもよい。
【００９８】
・上記実施形態では、外側絞り部５６，５７を備える構成としたが、図１０及び１１に示すように外側絞り部を省略した構成を採用してもよい。
【産業上の利用可能性】
【００９９】
以上のように、本発明にかかるミスト発生装置は、上記実施形態では、液体をミスト化して使用者に向けて噴霧させ、使用者の肌にハリや潤いを与えるなどの美容効果を目的としたミスト発生装置（美容器）として、安定したミストの吐出が可能となるので、吐出量や、供給する部位等を変えて身体の健康を促す器具や、空間に噴霧することを目的として、加湿器、空調器等の用途にも適用できる。
【符号の説明】
【０１００】
５０…ミストノズル、５１ｂ，５１ｃ…ノズル内周面、５２…流入口、５２ａ，５３ａ，５４ｃ，５５ｃ…角部、５３…放出口、５４，５５…内側絞り部、５４ｂ，５５ｂ…内側角部（径方向内側角部）、５４ｃ，５５ｃ…外側角部（径方向外側角部）、５６，５７，５８…外側絞り部、Ｈ１，Ｈ２…高さ（長さ）、Ｌ１，Ｌ２…長さ。
【図１】
2014239743.tif 000004
【図２】
2014239743.tif 000005
【図３】
2014239743.tif 000006
【図４】
2014239743.tif 000007
【図５】
2014239743.tif 000008
【図６】
2014239743.tif 000009
【図７】
2014239743.tif 000010
【図８】
2014239743.tif 000011
【図９】
2014239743.tif 000012
【図１０】
2014239743.tif 000013
【図１１】
2014239743.tif 000014
【図１２】
2014239743.tif 000015